(57)【要約】【課題】ユーザの利用状況に応じた最適制御を可能とした撮像装置を提供する。【解決手段】撮像装置のモードとして（ａ）撮像部に対する電力供給を実行して、撮像部による画像撮影を可能とした撮影モード、（ｂ）表示部におけるデータ再生を可能とし、かつ撮像部に対する電力供給を、予め定めた閾値時間のみ実行し、閾値時間経過後に停止する再生モード、（ｃ）表示部におけるデータ再生を可能とし、かつ撮像部に対する電力供給を実行するレビューモードの３モードを切り替え、レビューモードでレンズバリアを開状態、再生モードで閉状態とする。本構成により、ユーザの利用状況に応じた最適な制御が可能となる。【選択図】図２
2007180673.tif 000002
【特許請求の範囲】
【請求項１】
画像の撮影処理を実行する撮像部と、
撮像部のレンズ前面を遮蔽するレンズバリアと、
記録部に記録された画像データの表示を行なう表示部と、
モード切り替え部からのモード切り替え指示に基づいて、撮像装置のモードの切り替え制御を行なう制御部とを有し、
前記制御部は、
前記撮像部に対する電力供給を実行して、前記撮像部による画像撮影を実行可能とした撮影モードと、
前記表示部におけるデータ再生を可能とし、かつ前記撮像部に対する電力供給を、予め定めた閾値時間のみ実行し、前記閾値時間経過後に停止する再生モードと、
前記表示部におけるデータ再生を可能とし、かつ前記撮像部に対する電力供給を実行するレビューモードと、
上記３モードの切り替え制御を実行する構成であることを特徴とする撮像装置。
【請求項２】
前記制御部は、
撮像部の状態制御を実行する構成であり、
前記撮影モード設定時は、前記撮像部に対する電力供給を実行し画像撮影を実行可能とした撮影状態に設定し、
前記再生モード設定時は、該再生モードの開始から前記閾値時間内は、前記撮像部に対する電力供給を実行するレビュー状態に設定し、前記閾値時間経過後は、前記撮像部に対する電力供給を停止したオフ状態に設定し、
前記レビューモード設定時は、前記撮像部に対する電力供給を実行するレビュー状態に設定する制御を行なう構成であることを特徴とする請求項１に記載の撮像装置。
【請求項３】
前記制御部は、
撮影モードから再生モードへの移行時には、前記レンズバリアを開状態から閉状態に設定し、撮影モードからレビューモードへの移行時には、前記レンズバリアを開状態に維持する制御を実行する構成であることを特徴とする請求項１に記載の撮像装置。
【請求項４】
前記撮像部は、撮像部の状態遷移に応じて、前記レンズバリアの開閉を実行させるレンズバリア駆動信号を出力する構成であり、
前記制御部は、
前記前記撮像部の状態制御を実行する際に、前記レンズバリア駆動信号の有効化コマンドまたは無効化コマンドを前記撮像部に対して出力し、間接的な前記レンズバリアの駆動制御を実行する構成であり、
少なくとも撮影モードからレビューモードへの移行時には、前記レンズバリア駆動信号の無効化コマンドを前記撮像部に対して出力し、前記レンズバリアを開状態に維持する制御を実行する構成であることを特徴とする請求項１に記載の撮像装置。
【請求項５】
前記撮像部は、撮像部の状態遷移に応じて、前記レンズバリアの開閉を実行させるレンズバリア駆動信号を出力する構成であり、
前記制御部は、
前記前記撮像部の状態制御を実行する際に、前記レンズバリア駆動信号の有効化コマンドまたは無効化コマンドを前記撮像部に対して出力し、間接的な前記レンズバリアの駆動制御を実行する構成であり、
少なくとも撮影モードから再生モードへの移行時には、前記レンズバリア駆動信号の有効化コマンドを前記撮像部に対して出力し、前記レンズバリアを開状態から閉状態に移行させる制御を実行する構成であることを特徴とする請求項１に記載の撮像装置。
【請求項６】
撮像装置において、撮像装置の制御を行う撮像装置制御方法であり、
制御部において、モード切り替え部からのモード切り替え指示に基づいて、撮像装置のモードの切り替え制御を行なうモード制御ステップを有し、
前記モード制御ステップは、
画像の撮影処理を実行する撮像部に対する電力供給を実行して、前記撮像部による画像撮影を実行可能とした撮影モードと、
前記表示部におけるデータ再生を可能とし、かつ前記撮像部に対する電力供給を、予め定めた閾値時間のみ実行し、前記閾値時間経過後に停止する再生モードと、
前記表示部におけるデータ再生を可能とし、かつ前記撮像部に対する電力供給を実行するレビューモードと、
上記３モードの切り替え制御を実行するステップであることを特徴とする撮像装置制御方法。
【請求項７】
前記撮像装置制御方法は、さらに、
前記制御部において撮像部の状態制御を実行する撮像部状態制御ステップを有し、
該撮像部制御ステップは、
前記撮影モード設定時は、前記撮像部に対する電力供給を実行し画像撮影を実行可能とした撮影状態に設定し、
前記再生モード設定時は、該再生モードの開始から前記閾値時間内は、前記撮像部に対する電力供給を実行するレビュー状態に設定し、前記閾値時間経過後は、前記撮像部に対する電力供給を停止したオフ状態に設定し、
前記レビューモード設定時は、前記撮像部に対する電力供給を実行するレビュー状態に設定する制御ステップであることを特徴とする請求項６に記載の撮像装置制御方法。
【請求項８】
前記撮像装置制御方法は、さらに、
前記撮像部のレンズ前面を遮蔽するレンズバリアの駆動制御を実行するレンズバリア制御ステップを有し、
前記レンズバリア制御ステップは、
撮影モードから再生モードへの移行時には、前記レンズバリアを開状態から閉状態に設定し、撮影モードからレビューモードへの移行時には、前記レンズバリアを開状態に維持する制御を実行するステップであることを特徴とする請求項６に記載の撮像装置制御方法。
【請求項９】
前記撮像装置制御方法は、さらに、
前記撮像部において、撮像部の状態遷移に応じて、前記レンズバリアの開閉を実行させるレンズバリア駆動信号を出力するステップと、
前記制御部において、前記前記撮像部の状態制御を実行する際に、前記レンズバリア駆動信号の有効化コマンドまたは無効化コマンドを前記撮像部に対して出力するコマンド出力ステップを有し、
少なくとも撮影モードからレビューモードへの移行時には、前記レンズバリア駆動信号の無効化コマンドを前記撮像部に対して出力し、前記レンズバリアを開状態に維持する制御を実行することを特徴とする請求項６に記載の撮像装置制御方法。
【請求項１０】
前記撮像装置制御方法は、さらに、
前記撮像部において、撮像部の状態遷移に応じて、前記レンズバリアの開閉を実行させるレンズバリア駆動信号を出力するステップと、
前記制御部において、前記前記撮像部の状態制御を実行する際に、前記レンズバリア駆動信号の有効化コマンドまたは無効化コマンドを前記撮像部に対して出力するコマンド出力ステップを有し、
少なくとも撮影モードから再生モードへの移行時には、前記レンズバリア駆動信号の有効化コマンドを前記撮像部に対して出力し、前記レンズバリアを開状態から閉状態に移行させる制御を実行することを特徴とする請求項６に記載の撮像装置制御方法。
【請求項１１】
撮像装置において、撮像装置の制御を実行させるコンピュータ・プログラムであり、
制御部において実行させるステップとして、モード切り替え部からのモード切り替え指示に基づいて、撮像装置のモードの切り替え制御を行なうモード制御ステップを有し、
前記モード制御ステップは、
画像の撮影処理を実行する撮像部に対する電力供給を実行して、前記撮像部による画像撮影を実行可能とした撮影モードと、
前記表示部におけるデータ再生を可能とし、かつ前記撮像部に対する電力供給を、予め定めた閾値時間のみ実行し、前記閾値時間経過後に停止する再生モードと、
前記表示部におけるデータ再生を可能とし、かつ前記撮像部に対する電力供給を実行するレビューモードと、
上記３モードの切り替え制御を実行するステップであることを特徴とするコンピュータ・プログラム。
【発明の詳細な説明】
【技術分野】
【０００１】
本発明は、撮像装置、および撮像装置制御方法、並びにコンピュータ・プログラムに関する。さらに詳細には、例えばスチルカメラやビデオカメラなどの撮像装置におけるモード設定と撮像部の制御、およびレンズ保護用の遮蔽板としてのレンズバリアの制御を行う撮像装置、および撮像装置制御方法、並びにコンピュータ・プログラムに関する。
【背景技術】
【０００２】
スチルカメラやビデオカメラなどの撮像装置には、レンズ保護用の遮蔽板としてのレンズバリアが設けられ、撮影を行なわない期間に、レンズバリアを閉じてレンズを保護する機構を備えたものがある。
【０００３】
得に、昨今のデジタルカメラでは、ユーザの各種操作情報に基づいて、撮影が実行されているか、実行されていないかの状態判別を実行し、この判別情報に基づいて、レンズバリアの開閉を制御する構成となっているものが多い。
【０００４】
また、多くのデジタルカメラは、電力をバッテリ（電池）から供給する構成であり、バッテリの消費を低減させるため、ユーザによって撮影が実行されていない期間は、撮像装置におけるレンズ駆動部などを含む撮像部に対する電力供給を停止する構成とするのが一般的である。例えば、昨今のカメラには液晶ディスプレイなどのモニタが備えられており、撮影済みのデータをモニタに表示するなどの再生処理が可能である。例えば、モニタを利用した再生が実行されている期間、レンズ駆動部などを含む撮像部に対する電力供給を停止することで、バッテリ消費が低減される。
【０００５】
従来の自動開閉型のレンズバリアを持つカメラは、撮像部に対する電力供給の停止前に、レンズバリアを閉じる処理を行なう構成となっている。従って、撮像部に対する電力供給が停止された後、撮影を開始しようとしても、即座には撮影が開始することができない。すなわち、レンズバリアを開ける処理動作を行なわなければならないからである。撮像部に対する電力供給の停止を行なうことなく、撮像部に対する電力供給を継続的に実行する構成とすれば、レンズバリアを開けたままの状態を維持することは可能であり、即座に撮影を開始することができるが、レンズバリアを開いた状態を継続させることは、ゴミ等がレンズに付着してしまう機会が増えるという問題がある。そのため、なるべくレンズバリアは閉じておきたい。また、電力消費も増大するという問題が発生する。
【０００６】
従来の一般的なカメラでは、モニタを利用した再生を行なう再生モードへの切り替えが発生してからの経過時間を計測して、一定時間経過後に撮像部の電源を落とすという構成となっている。しかし、再生モードへの切り替えが発生してからの一定の期間は、レンズバリアは開いたままとされてしまっていた。つまり、レンズバリアの制御は撮像部に対する電力供給のオン・オフと連動しており、モニタを利用したコンテンツ再生が行なわれている場合であっても、撮像部に対する電力供給がなされている期間は、レンズバリアを開状態とし、撮像部に対する電力供給を停止することを条件としてレンズバリアを閉状態とする制御を行なっていた。
【発明の開示】
【発明が解決しようとする課題】
【０００７】
本発明は、レンズ駆動部などを持つ撮像部に対する電力供給の有無と、レンズバリアの開閉処理を独立に実行させる構成として、撮影状態と再生状態のスムーズな切り替えを可能とし、また撮像装置におけるモード設定と撮像部の制御、および消費電力の抑制、レンズの保護を実現するレンズバリアの制御を行う撮像装置、および撮像装置制御方法、並びにコンピュータ・プログラムを提供することを目的とする。
【課題を解決するための手段】
【０００８】
本発明の第１の側面は、
画像の撮影処理を実行する撮像部と、
撮像部のレンズ前面を遮蔽するレンズバリアと、
記録部に記録された画像データの表示を行なう表示部と、
モード切り替え部からのモード切り替え指示に基づいて、撮像装置のモードの切り替え制御を行なう制御部とを有し、
前記制御部は、
前記撮像部に対する電力供給を実行して、前記撮像部による画像撮影を実行可能とした撮影モードと、
前記表示部におけるデータ再生を可能とし、かつ前記撮像部に対する電力供給を、予め定めた閾値時間のみ実行し、前記閾値時間経過後に停止する再生モードと、
前記表示部におけるデータ再生を可能とし、かつ前記撮像部に対する電力供給を実行するレビューモードと、
上記３モードの切り替え制御を実行する構成であることを特徴とする撮像装置にある。
【０００９】
さらに、本発明の撮像装置の一実施態様において、前記制御部は、撮像部の状態制御を実行する構成であり、前記撮影モード設定時は、前記撮像部に対する電力供給を実行し画像撮影を実行可能とした撮影状態に設定し、前記再生モード設定時は、該再生モードの開始から前記閾値時間内は、前記撮像部に対する電力供給を実行するレビュー状態に設定し、前記閾値時間経過後は、前記撮像部に対する電力供給を停止したオフ状態に設定し、前記レビューモード設定時は、前記撮像部に対する電力供給を実行するレビュー状態に設定する制御を行なう構成であることを特徴とする。
【００１０】
さらに、本発明の撮像装置の一実施態様において、前記制御部は、撮影モードから再生モードへの移行時には、前記レンズバリアを開状態から閉状態に設定し、撮影モードからレビューモードへの移行時には、前記レンズバリアを開状態に維持する制御を実行する構成であることを特徴とする。
【００１１】
さらに、本発明の撮像装置の一実施態様において、前記撮像部は、撮像部の状態遷移に応じて、前記レンズバリアの開閉を実行させるレンズバリア駆動信号を出力する構成であり、前記制御部は、前記前記撮像部の状態制御を実行する際に、前記レンズバリア駆動信号の有効化コマンドまたは無効化コマンドを前記撮像部に対して出力し、間接的な前記レンズバリアの駆動制御を実行する構成であり、少なくとも撮影モードからレビューモードへの移行時には、前記レンズバリア駆動信号の無効化コマンドを前記撮像部に対して出力し、前記レンズバリアを開状態に維持する制御を実行する構成であることを特徴とする。
【００１２】
さらに、本発明の撮像装置の一実施態様において、前記撮像部は、撮像部の状態遷移に応じて、前記レンズバリアの開閉を実行させるレンズバリア駆動信号を出力する構成であり、前記制御部は、前記前記撮像部の状態制御を実行する際に、前記レンズバリア駆動信号の有効化コマンドまたは無効化コマンドを前記撮像部に対して出力し、間接的な前記レンズバリアの駆動制御を実行する構成であり、少なくとも撮影モードから再生モードへの移行時には、前記レンズバリア駆動信号の有効化コマンドを前記撮像部に対して出力し、前記レンズバリアを開状態から閉状態に移行させる制御を実行する構成であることを特徴とする。
【００１３】
さらに、本発明の第２の側面は、
撮像装置において、撮像装置の制御を行う撮像装置制御方法であり、
制御部において、モード切り替え部からのモード切り替え指示に基づいて、撮像装置のモードの切り替え制御を行なうモード制御ステップを有し、
前記モード制御ステップは、
画像の撮影処理を実行する撮像部に対する電力供給を実行して、前記撮像部による画像撮影を実行可能とした撮影モードと、
前記表示部におけるデータ再生を可能とし、かつ前記撮像部に対する電力供給を、予め定めた閾値時間のみ実行し、前記閾値時間経過後に停止する再生モードと、
前記表示部におけるデータ再生を可能とし、かつ前記撮像部に対する電力供給を実行するレビューモードと、
上記３モードの切り替え制御を実行するステップであることを特徴とする撮像装置制御方法にある。
【００１４】
さらに、本発明の撮像装置制御方法の一実施態様において、前記撮像装置制御方法は、さらに、前記制御部において撮像部の状態制御を実行する撮像部状態制御ステップを有し、該撮像部制御ステップは、前記撮影モード設定時は、前記撮像部に対する電力供給を実行し画像撮影を実行可能とした撮影状態に設定し、前記再生モード設定時は、該再生モードの開始から前記閾値時間内は、前記撮像部に対する電力供給を実行するレビュー状態に設定し、前記閾値時間経過後は、前記撮像部に対する電力供給を停止したオフ状態に設定し、前記レビューモード設定時は、前記撮像部に対する電力供給を実行するレビュー状態に設定する制御ステップであることを特徴とする。
【００１５】
さらに、本発明の撮像装置制御方法の一実施態様において、前記撮像装置制御方法は、さらに、前記撮像部のレンズ前面を遮蔽するレンズバリアの駆動制御を実行するレンズバリア制御ステップを有し、前記レンズバリア制御ステップは、撮影モードから再生モードへの移行時には、前記レンズバリアを開状態から閉状態に設定し、撮影モードからレビューモードへの移行時には、前記レンズバリアを開状態に維持する制御を実行するステップであることを特徴とする。
【００１６】
さらに、本発明の撮像装置制御方法の一実施態様において、前記撮像装置制御方法は、さらに、前記撮像部において、撮像部の状態遷移に応じて、前記レンズバリアの開閉を実行させるレンズバリア駆動信号を出力するステップと、前記制御部において、前記前記撮像部の状態制御を実行する際に、前記レンズバリア駆動信号の有効化コマンドまたは無効化コマンドを前記撮像部に対して出力するコマンド出力ステップを有し、少なくとも撮影モードからレビューモードへの移行時には、前記レンズバリア駆動信号の無効化コマンドを前記撮像部に対して出力し、前記レンズバリアを開状態に維持する制御を実行することを特徴とする。
【００１７】
さらに、本発明の撮像装置制御方法の一実施態様において、前記撮像装置制御方法は、さらに、前記撮像部において、撮像部の状態遷移に応じて、前記レンズバリアの開閉を実行させるレンズバリア駆動信号を出力するステップと、前記制御部において、前記前記撮像部の状態制御を実行する際に、前記レンズバリア駆動信号の有効化コマンドまたは無効化コマンドを前記撮像部に対して出力するコマンド出力ステップを有し、少なくとも撮影モードから再生モードへの移行時には、前記レンズバリア駆動信号の有効化コマンドを前記撮像部に対して出力し、前記レンズバリアを開状態から閉状態に移行させる制御を実行することを特徴とする。
【００１８】
さらに、本発明の第３の側面は、
撮像装置において、撮像装置の制御を実行させるコンピュータ・プログラムであり、
制御部において実行させるステップとして、モード切り替え部からのモード切り替え指示に基づいて、撮像装置のモードの切り替え制御を行なうモード制御ステップを有し、
前記モード制御ステップは、
画像の撮影処理を実行する撮像部に対する電力供給を実行して、前記撮像部による画像撮影を実行可能とした撮影モードと、
前記表示部におけるデータ再生を可能とし、かつ前記撮像部に対する電力供給を、予め定めた閾値時間のみ実行し、前記閾値時間経過後に停止する再生モードと、
前記表示部におけるデータ再生を可能とし、かつ前記撮像部に対する電力供給を実行するレビューモードと、
上記３モードの切り替え制御を実行するステップであることを特徴とするコンピュータ・プログラムにある。
【００１９】
なお、本発明のコンピュータ・プログラムは、例えば、様々なプログラム・コードを実行可能な汎用コンピュータ・システムに対して、コンピュータ可読な形式で提供する記憶媒体、通信媒体、例えば、ＣＤやＦＤ、ＭＯなどの記憶媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２０】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２１】
本発明の一実施例の構成によれば、撮像装置のモードとして、
（ａ）画像の撮影処理を実行する撮像部に対する電力供給を実行して、撮像部による画像撮影を実行可能とした撮影モードと、
（ｂ）表示部におけるデータ再生を可能とし、かつ撮像部に対する電力供給を、予め定めた閾値時間のみ実行し、閾値時間経過後に停止する再生モードと、
（ｃ）表示部におけるデータ再生を可能とし、かつ撮像部に対する電力供給を実行するレビューモードと、
これら３モードの切り替え制御を実行する構成とし、さらに、レビューモードでは、レンズバリアを開状態として、再生モードではレンズバリアを閉状態とする制御を行なう構成としたので、撮影と再生を頻繁に切り替える場合はレビューモードに設定することで、撮影開始を即座に実行することが可能となり、また、再生と撮影を頻繁に切り替えない場合は再生モードとしてレンズバリアを閉じることで、レンズの保護が図られ、ユーザの利用状況に応じた最適な制御が可能となる。
【発明を実施するための最良の形態】
【００２２】
以下、図面を参照しながら、本発明の撮像装置、および撮像装置制御方法、並びにコンピュータ・プログラムの詳細について説明する。
【００２３】
まず、本発明の撮像装置の構成例について、図１を参照して説明する。図１には、本発明の撮像装置の例として、主として動画撮影を行なうビデオカメラ１１０、静止画撮影を行なうスチルカメラ１２０を示している。これらの撮像装置には、レンズ保護用の遮蔽板としてのレンズバリアが設けられている。レンズバリアは、撮像装置内の制御部の制御によって開閉動作がなされる。
【００２４】
図１（１）に示すビデオカメラ１１０の下部に示す（ａ）（ｂ）は、ビデオカメラ１１０を正面から見た図であり、図に示す（ａ），（ｂ）の状態を持つ。（ａ）は、レンズバリアが開いた状態であり、レンズ１１１が露出した状態である。（ｂ）は、レンズバリア１１２が閉じた状態であり、レンズがレンズバリア１１２によって遮蔽された状態である。
【００２５】
同様に、図１（２）に示すスチルカメラ１２０の下部に示す（ａ）は、レンズバリアが開いた状態であり、レンズ１２１が露出した状態である。（ｂ）は、レンズバリア１２２が閉じた状態であり、レンズがレンズバリア１２２によって遮蔽された状態である。
【００２６】
本発明の撮像装置は、図１に示すビデオカメラ１１１、スチルカメラ１１２などの撮像装置であり、状況に応じて開閉処理がなされるレンズバリアを有する撮像装置である。レンズバリアの開閉制御は、撮像装置内の撮像部および制御部の制御によって実行される。
【００２７】
次に、図２を参照して、本発明の撮像装置の主要構成を説明するブロック図を示す。なお、図２は、本発明の実施例を説明するために必要となる主要構成を示すブロック図であり、詳細な装置構成については、後段で説明する。撮像装置は、図２に示すように、撮像装置の全体制御を実行するユーザインタフェース（ＵＩ）制御部２０１、操作スイッチなどによるモード切り替え入力部としてのモード切り替え部２０２、動画または静止画の撮影処理機能を持つ光学系などによって構成される撮像部２０３、撮像部２０３内のレンズの遮蔽板としてのレンズバリア２０４、時間計測部（タイマ）２０５、表示部２０６、メディア（記録媒体）２０７を有する。
【００２８】
モード切り替え部２０２は、ユーザインタフェース（ＵＩ）制御部２０１に対する入力部である。ハードウェアとしてのスイッチ、あるいはソフトウェアによるスイッチによって実現される。モード切り替え部２０２は、ユーザインタフェース（ＵＩ）制御部２０１に対して、「撮影モード」、「再生モード」、「レビューモード」の３モードの切り替え指示を入力する。
【００２９】
撮像装置のモード（状態）には、
「撮影モード」、
「再生モード」、
「レビューモード」、
の３つのモードがある。
【００３０】
「撮影モード」は、撮像部２０３の撮影処理によって取得された入力信号をメディア（記録媒体）２０７へ記録する処理の実行状態または実行可能状態に対応するモードである。
「撮影モード」では、撮像部２０３に対して電力の供給がなされる。
【００３１】
「再生モード」は、メディア（記録媒体）２０７に記録されたデータを再生し表示部２０６に出力する処理の実行状態または実行可能状態に対応するモードである。
「再生モード」では、撮像部２０３に対して電力の供給がなされる場合（撮像部２０３がレビュー状態）と、電力の供給がなされない場合（撮像部２０３がオフ状態）とがある。再生モード開始直後は、ユーザインタフェース（ＵＩ）制御部２０１の制御に基づいて、撮像部２０３がレビュー状態となり、撮像部２０３に対して電力の供給がなされるが、再生モード開始後の経過時間が時間計測部（タイマ）２０５によって計測され、予め定めた時間が経過すると、ユーザインタフェース（ＵＩ）制御部２０１の制御によって、撮像部２０３がオフ状態に設定され、撮像部２０３に対して電力の供給が停止される。なお、これらの具体的な処理シーケンスについては後述する。
【００３２】
「レビューモード」は、メディア（記録媒体）２０７に記録されたデータを再生し表示部２０６に出力する処理の実行状態または実行可能状態である。
「レビューモード」は、上述の「再生モード」と類似するが、「レビューモード」では、撮像部２０３に対する電力供給は、実行され、停止されることはない。すなわち、撮像装置が「レビューモード」に設定されている場合は、撮像部２０３は、ユーザインタフェース（ＵＩ）制御部２０１の制御によって「レビュー状態」を維持するように制御され、撮像部２０３に電力供給が継続して実行され、即座に撮影開始が実行できる状態に維持される。これらの処理の具体的なシーケンスについては後述する。
【００３３】
ユーザインタフェース（ＵＩ）制御部２０１は、モード切り替え部２０２からのモード切り替え指示に基づいて撮像装置のモードの切り替え処理を実行し、さらに、撮像部２０３の状態制御を実行する。撮像部２０３の状態制御は、モード切り替え部２０２からのモード切り替え指示と、時間計測部（タイマ）２０５の時間計測情報に基づいて実行される。さらに、ユーザインタフェース（ＵＩ）制御部２０１は、撮像部２０３の状態制御に際して、設定状態に応じて撮像部２０３に対する電力供給制御を行う。
【００３４】
撮像部２０３は、レンズなどの光学系、撮像素子などを備え、撮影処理を実行し、レンズ制御やカメラからの信号処理を行うブロックである。撮像部２０３の状態は、ユーザインタフェース（ＵＩ）制御部２０１の制御によって切り替えられる。撮像部２０３は、
「オフ状態」、
「撮影状態」、
「レビュー状態」
これらの３つの状態を持つ。
【００３５】
「オフ状態」は、撮像装置が「再生モード」にある場合に設定される状態の１つである。
「オフ状態」では、画像撮影は行われないため、撮像部２０３への電力供給が停止、もしくは停止可能状態とされる。
【００３６】
「撮影状態」は、撮像装置が「撮影モード」にある場合に設定される状態である。撮像部２０３において撮影した画像をメディア（記録媒体）２０７へ記録することができる状態である。
「撮影状態」では、撮像部２０３への電源は供給状態とされる。
【００３７】
「レビュー状態」は、撮像装置が、「レビューモード」にある場合に設定される。また、撮像装置が「再生モード」にある場合に設定される状態の１つである。
「レビュー状態」では、撮像部２０３への電源は供給状態とされる。
【００３８】
撮像装置の［モード］と、撮像部２０３の［状態］との対応関係について、図３を参照して説明する。撮像装置は、図３に示すように、
「撮影モード」、
「再生モード」、
「レビューモード」、
の３つのモードに設定可能であり、撮像部２０３は、
「オフ状態」、
「撮影状態」、
「レビュー状態」
これらの３つの状態を持つ。
【００３９】
設定可能なモードと状態の対応は、図３に示す４つの態様がある。
Ａ．［撮影モード］−［撮影状態］
Ｂ．［レビューモード］−［レビュー状態］
Ｃ．［再生モード］−［レビュー状態］
Ｄ．［再生モード］−［オフ状態］
これら４つの態様がある。これらのモード、状態設定の遷移については、後段で説明する。なお、図３には、レンズバリア２０４のオープン（開状態）とクローズ（閉状態）と、上述した撮像装置の［モード］および、撮像部２０３の［状態］との対応についても示してあるが、これらについては後述する。
【００４０】
図２に示す他の構成要素について説明する。レンズバリア２０４は、撮像部２０３に含まれるレンズを外部の埃や指紋などの付着から保護するためのカバーである。レンズバリア２０４の開閉は撮像部２０３からのレンズバリア駆動信号によって実行される。ただし、ユーザインタフェース（ＵＩ）制御部２０１から撮像部２０３に対して、レンズバリア駆動信号の有効化または無効化コマンドとしての許可／禁止フラグ（Ｅｎａｂｌｅ／Ｄｉｓａｂｌｅ）が入力可能であり、ユーザインタフェース（ＵＩ）制御部２０１は、間接的にレンズバリア２０４の開閉を制御可能な構成を持つ。
【００４１】
レンズバリア２０４のオープン（開状態）とクローズ（閉状態）と、上述した撮像装置の［モード］および、撮像部２０３の［状態］との対応は、図３に示すとおりであり、以下の通りである。
Ａ．［撮影モード］−［撮影状態］：［オープン（開状態）］
Ｂ．［レビューモード］−［レビュー状態］：［オープン（開状態）］
Ｃ．［再生モード］−［レビュー状態］：［クローズ（閉状態）］
Ｄ．［再生モード］−［オフ状態］：［クローズ（閉状態）］
これらの対応となる。
【００４２】
すなわち、例えばユーザがモード切り替え手段（スイッチ）２０２を操作して、撮像装置をレビューモードに設定している場合は、撮像部２０３の［状態］は常にレビュー状態とされ、電力が供給され、かつ、レンズバリア２０４は［オープン（開状態）］に維持される。従って、レビューモードでは、ユーザは表示部（モニタ）２０６を利用して撮影データの再生、確認などを行なっている場合でも、いつでも撮影を即座に開始することができる状態となる。
【００４３】
一方、ユーザがモード切り替え手段（スイッチ）２０２を操作して、撮像装置を再生モードに設定している場合は、撮像部２０３の［状態］は、再生モード開始直後は、レビュー状態とされ、電力が供給されるが、予め規定された時間（タイムアップ時間）の経過を条件として、撮像部２０３の［状態］は、オフ状態とされ、電力供給が提示される。なお、撮像装置が再生モードに設定されると、レンズバリア２０４は［クローズ（閉状態）］にされ、レンズに対するごみの付着などを防止することができる。
【００４４】
このように、ユーザは、急な撮影再開の予定がある場合などには、撮像装置をレビューモードに設定し、急な撮影予定のない場合には、撮像装置を再生モードにしてレンズ保護を図るといった選択が可能となる。
【００４５】
本発明の撮像装置における［モード］、撮像部２０３の［状態］、レンズバリア２０４の［開閉］の遷移の具体例について、図４〜図６を参照して説明する。
【００４６】
図４は、撮像装置が、［撮影モード］から［再生モード］へ遷移する場合の処理について説明する図である。図４には、
（ａ）撮像装置モード
（ｂ）時間計測
（ｃ）撮像部状態
（ｄ）レンズバリアの開閉
の各々についての時間経過に対応する状態遷移を示している。図の左から右に時間（ｔ）が経過する。
【００４７】
時間Ｔａ１〜Ｔａ２は、撮像装置のモードは、［撮影モード］である。撮像装置のモードが［撮影モード］にある場合、図３を参照して説明した通り、
Ａ．撮像装置＝［撮影モード］，撮像部＝［撮影状態］，レンズバリア＝［オープン（開状態）］
として設定される。この期間においては、撮像部２０３に対する電力供給が実行され撮影の実行可能な状態である。
【００４８】
時間Ｔａ２において、モード切り替え手段２０２、例えばスイッチによって、モード切り替えが実行される。すなわち、［撮影モード］から［再生モード］への切り替えが実行される。このモード切り替え信号は、ユーザインタフェース（ＵＩ）制御部２０１に入力され、ユーザインタフェース（ＵＩ）制御部２０１は、このモード切り替えに応じて、撮像部２０３の状態を［撮影状態］から［レビュー状態］へ切り替える処理を実行する。さらに、モード切り替え時（Ｔａ２）からの経過時間を時間計測部（タイマ）２０５を適用して計測を開始する。
【００４９】
ユーザインタフェース（ＵＩ）制御部２０１は、あらかじめ閾値時間（Ｔｈ）をメモリに保持し、［再生モード］の開始から閾値時間に至るまでは、撮像部２０３の状態を［レビュー状態］として、撮像部２０３に対する電力供給を継続するが、閾値時間（Ｔｈ）の経過（図４の時間Ｔａ３）を条件として、撮像部２０３の状態を［レビュー状態］から［オフ状態］へ切り替え、撮像部２０３に対する電力供給を停止する処理を実行する。
【００５０】
一方、この状態遷移において、レンズバリア２０４は、時間Ｔａ２において、モードが［撮影モード］から［再生モード］への切り替えが実行されたことを条件として、［オープン（開状態）］から［クローズ（閉状態）］に設定される。
【００５１】
前述したように、レンズバリア２０４の開閉処理は、撮像部２０３からのレンズバリア駆動信号によって実行される。ただし、ユーザインタフェース（ＵＩ）制御部２０１から撮像部２０３に対して、レンズバリア駆動信号の有効化または無効化コマンドとしての許可／禁止フラグ（Ｅｎａｂｌｅ／Ｄｉｓａｂｌｅ）が入力可能であり、ユーザインタフェース（ＵＩ）制御部２０１は、間接的にレンズバリア２０４の開閉を制御する。
【００５２】
ユーザインタフェース（ＵＩ）制御部２０１は、［撮影モード］から［再生モード］への切り替えが実行された場合、撮像部２０３の状態を［撮影状態］から［レビュー状態］へ切り替える処理を実行するとともに、撮像部２０３に対して、レンズバリア駆動信号の有効化コマンドとしての許可フラグ（Ｅｎａｂｌｅ）を出力する。撮像部２０３は、［撮影状態］から［レビュー状態］への切り替えに併せて、レンズバリア２０４をクローズさせるレンズバリア駆動信号を出力し、レンズバリア２０４は［オープン（開状態）］から［クローズ（閉状態）］に設定される。レンズバリア開閉の許可／禁止フラグはＥｎａｂｌｅに設定されているので、レンズバリアは閉じられる。
【００５３】
ユーザインタフェース（ＵＩ）制御部２０１は、［再生モード］の開始から閾値時間に至るまでは、撮像部２０３の状態を［レビュー状態］として、撮像部２０３に対する電力供給を継続するが、閾値時間（Ｔｈ）の経過（図４の時間Ｔａ３）を条件として、撮像部２０３の状態を［レビュー状態］から［オフ状態］へ切り替える処理を行なうが、この状態切り替え時も、撮像部２０３は、レンズバリア２０４を［オープン（開状態）］から［クローズ（閉状態）］に設定するレンズバリア駆動信号を出力してもよい。ただし、レンズバリア２０４はすでに閉じているため、実際の動作は行なわれない。レンズバリア開閉の許可／禁止フラグの状態はＥｎａｂｌｅ／Ｄｉｓａｂｌｅ、いずれの設定でもよい。
【００５４】
図５は、撮像装置が、［再生モード］から［撮影モード］へ遷移する場合の処理について説明する図である。図５も、図４と同様、
（ａ）撮像装置モード
（ｂ）時間計測
（ｃ）撮像部状態
（ｄ）レンズバリアの開閉
の各々についての時間経過に対応する状態遷移を示している。図の左から右に時間（ｔ）が経過する。
【００５５】
時間Ｔｂ１〜Ｔｂ２は、撮像装置のモードは、［再生モード］である。撮像装置のモードが［再生モード］にある場合、図３を参照して説明した通り、
Ｃ．撮像装置＝［再生モード］，撮像部＝［レビュー状態］，レンズバリア＝［クローズ（閉状態）］
Ｄ．撮像装置＝［再生モード］，撮像部＝［オフ状態］，レンズバリア＝［クローズ（閉状態）］
のいずれかであるが、図５は、
Ｄ．撮像装置＝［再生モード］，撮像部＝［オフ状態］，レンズバリア＝［クローズ（閉状態）］
にある状態において、［再生モード］から［撮影モード］へ遷移する場合の処理について説明する図である。
【００５６】
時間Ｔｂ２において、モード切り替え手段２０２、例えばスイッチによって、モード切り替えが実行される。すなわち、［再生モード］から［撮影モード］への切り替えが実行される。このモード切り替え信号は、ユーザインタフェース（ＵＩ）制御部２０１に入力され、ユーザインタフェース（ＵＩ）制御部２０１は、このモード切り替えに応じて、撮像部２０３の状態を［オフ状態］から［撮影状態］へ切り替える処理を実行する。
【００５７】
一方、この状態遷移において、レンズバリア２０４は、時間Ｔｂ２において、モードが［再生モード］から［撮影モード］への切り替えが実行されたことを条件として、［クローズ（閉状態）］から［オープン（開状態）］に設定される。
【００５８】
このレンズバリア２０４の開閉処理は、撮像部２０３からのレンズバリア駆動信号によって実行される。このモード切り替え時においては、ユーザインタフェース（ＵＩ）制御部２０１から撮像部２０３に対して、レンズバリア駆動信号の有効化コマンドとしての許可／禁止フラグ（Ｅｎａｂｌｅ）が入力される。
【００５９】
ユーザインタフェース（ＵＩ）制御部２０１は、［再生モード］から［撮影モード］への切り替えが実行された場合、撮像部２０３の状態を［オフ状態］から［撮影状態］へ切り替える処理を実行するとともに、撮像部２０３に対して、レンズバリア駆動信号の有効化コマンドとしての許可／禁止フラグ（Ｅｎａｂｌｅ）を出力する。撮像部２０３は、［オフ状態］から［撮影状態］への切り替えに併せて、レンズバリア２０４をオープンさせるレンズバリア駆動信号を出力し、レンズバリア２０４は［クローズ（閉状態）］から［オープン（開状態）］に設定される。レンズバリア開閉の許可／禁止フラグはＥｎａｂｌｅに設定されているので、レンズバリアは開けられる。
【００６０】
なお、撮像装置のモードが［再生モード］にある場合、図３を参照して説明した通り、
Ｃ．撮像装置＝［再生モード］，撮像部＝［レビュー状態］，レンズバリア＝［クローズ（閉状態）］
Ｄ．撮像装置＝［再生モード］，撮像部＝［オフ状態］，レンズバリア＝［クローズ（閉状態）］
のいずれかであるが、
撮像装置のモードが［再生モード］から［撮影モード］へ切り替わる場合、ユーザインタフェース（ＵＩ）制御部２０１は、撮像装置を
［レビュー状態］から［撮影状態］、または、
［オフ状態］から［撮影状態］、
これらのいずれかの状態遷移を実行させる。さらに、この状態遷移時には、撮像部２０３に対して、レンズバリア駆動信号の有効化コマンドとしての許可／禁止フラグ（Ｅｎａｂｌｅ）を出力する。
【００６１】
撮像部２０３は、［オフ状態］から［撮影状態］または、［レビュー状態］から［撮影状態］への切り替えに併せて、レンズバリア２０４をオープンさせるレンズバリア駆動信号を出力し、レンズバリア２０４は［クローズ（閉状態）］から［オープン（開状態）］に設定される。レンズバリア開閉の許可／禁止フラグはＥｎａｂｌｅに設定されているので、レンズバリアは開けられる。
【００６２】
次に、図６を参照して、撮像装置が、［撮影モード］から［レビューモード］へ遷移し、さらに、［レビューモード］から［撮影モード］に遷移する場合の処理について説明する図である。図６も、図４と同様、
（ａ）撮像装置モード
（ｂ）時間計測
（ｃ）撮像部状態
（ｄ）レンズバリアの開閉
の各々についての時間経過に対応する状態遷移を示している。図の左から右に時間（ｔ）が経過する。
【００６３】
時間Ｔｃ１〜Ｔｃ２は、撮像装置のモードは、［撮影モード］である。撮像装置のモードが［撮影モード］にある場合、図３を参照して説明した通り、
Ａ．撮像装置＝［撮影モード］，撮像部＝［撮影状態］，レンズバリア＝［オープン（開状態）］
の設定とされている。この期間においては、撮像部２０３に対する電力供給が実行され撮影の実行可能な状態である。
【００６４】
時間Ｔｃ２において、モード切り替え手段２０２、例えばスイッチによって、モード切り替えが実行される。すなわち、［撮影モード］から［レビューモード］への切り替えが実行される。このモード切り替え信号は、ユーザインタフェース（ＵＩ）制御部２０１に入力され、ユーザインタフェース（ＵＩ）制御部２０１は、このモード切り替えに応じて、撮像部２０３の状態を［撮影状態］から［レビュー状態］へ切り替える処理を実行する。この処理は、先に図４を参照して説明した［撮影モード］から［再生モード］への切り替え処理と同じであるが、［撮影状態］から［レビュー状態］へ切り替える場合は、［再生モード］への切り替え時に実行した時間計測部（タイマ）２０５を適用した時間計測は実行しない。
【００６５】
すなわち、先に、説明したように、［レビューモード］中は、撮像部２０３は常に［レビュー状態］に設定される。すなわち、先に図３を参照して説明したように、
Ｂ．撮像装置＝［レビューモード］，撮像部＝［レビュー状態］，レンズバリア＝［オープン（開状態）］
の設定とされる。［撮影モード］から［再生モード］への切り替え時には、閾値時間までは、撮像部２０３をレビュー状態として、その後、オフ状態に切り替える処理を行なう構成としていたため、タイマによる時間計測を行ったが、［レビューモード］中は、撮像部２０３は常に［レビュー状態］に設定され、撮像部２０４に対する電力供給が継続され、かつ、レンズバリアも［オープン（開状態）］に設定され、いつでも、即座に撮影を開始することが可能な設定とされている。すなわち、このレビューモードは、撮影実行時に撮影した画像を確認しながら撮影するといった処理に適したモードである。このレビューモードに設定中は、撮像部２０３に対する電力の供給が停止されることなく、また、レンズバリアも閉じられない。
【００６６】
ユーザインタフェース（ＵＩ）制御部２０１は、時間Ｔｃ２のモード切り替えに応じて、撮像部２０３の状態を［撮影状態］から［レビュー状態］へ切り替える処理を実行し、さらに、撮像部２０３に対して、レンズバリア駆動信号の無効化コマンドとしての禁止フラグ（Ｄｉｓａｂｌｅ）を撮像部２０３に出力する。この禁止フラグによって、撮像部２０３は、時間Ｔｃ２のモード切り替えの際に、［撮影状態］から［レビュー状態］への切り替えに併せて、レンズバリア２０４をクローズさせるレンズバリア駆動信号を出力しても、レンズバリア駆動信号の無効化コマンドとしての禁止フラグ（Ｄｉｓａｂｌｅ）によって、レンズバリア駆動信号が無効化され、結果として、レンズバリア２０４は［オープン（開状態）］状態を維持することになる。
【００６７】
先に、図４を参照して説明した［撮影モード］から［再生モード］への切り替え時においても、図６に示す［撮影モード］から［レビューモード］への切り替え時においても、いずれの場合も、撮像部２０３は、［撮影状態］から［レビュー状態］へ移行し、全く同じ状態遷移を行なうことになるため、特別のプログラムを適用しない限り、撮像部は、同様の処理を実行し、結果として、レンズバリア２０４を［オープン（開状態）］から［クローズ（閉状態）］に設定するレンズバリア駆動信号を出力する。しかし、［撮影モード］から［レビューモード］への切り替え時には、ユーザインタフェース（ＵＩ）制御部２０１は、レンズバリア駆動信号の無効化コマンドとしての禁止フラグ（Ｄｉｓａｂｌｅ）を撮像部２０３に出力する。これによって、レンズバリア駆動信号が無効化され、結果として、レンズバリア２０４は［オープン（開状態）］状態を維持することになる。
【００６８】
一方、先に、図４を参照して説明した［撮影モード］から［再生モード］への切り替え時には、ユーザインタフェース（ＵＩ）制御部２０１は、レンズバリア駆動信号の有効化コマンドとしての許可フラグ（Ｅｎａｂｌｅ）を撮像部２０３に出力する。これによって、レンズバリア駆動信号が有効化され、結果として、レンズバリア２０４は［オープン（開状態）］から［クローズ（閉状態）］に移行することになる。
【００６９】
図６には、さらに、［レビューモード］から［撮影モード］への遷移状態も示している。時間Ｔｃ３において、モード切り替え手段２０２、例えばスイッチによって、モード切り替えが実行される。すなわち、［レビューモード］から［撮影モード］への切り替えが実行される。このモード切り替え信号は、ユーザインタフェース（ＵＩ）制御部２０１に入力され、ユーザインタフェース（ＵＩ）制御部２０１は、このモード切り替えに応じて、撮像部２０３の状態を［レビュー状態］から［撮影状態］へ切り替える処理を実行する。
【００７０】
一方、この状態遷移において、撮像部２０３は、レンズバリア駆動信号を出力する。すなわち、図５を参照して説明した撮像部の状態遷移、すなわち［オフ状態］から［撮影状態］の状態遷移時と同様、レンズバリアをオープンさせるレンズバリア駆動信号を出力する。なお、先に図４を参照して説明したように、撮像装置が［再生モード］である場合は、撮像部２０３が［レビュー状態］でも［オフ状態］でもレンズバリア２０４は、クローズ状態であり、撮像装置が［再生モード］であり、撮像部２０３が［レビュー状態］か［オフ状態］にある場合に、［再生モード］に移行する場合は、撮像部２０３は、［撮影状態］に移行し、このとき、レンズバリアをオープンさせるレンズバリア駆動信号を出力し、ケンズバリア２０４を［クローズ（閉状態）］から［オープン（開状態）］に移行させる処理を行なう。
【００７１】
図６に示す時間Ｔｃ３の［レビューモード］から［撮影モード］への移行時においても、撮像部２０３は、［レビュー状態］から［撮影状態］に移行することになり、［再生モード］から［撮影モード］への移行時と、全く同じ状態遷移を行なうことになるため、特別のプログラムを適用しない限り、撮像部は、同様の処理を実行し、結果として、レンズバリア２０４を［クローズ（閉状態）］から［オープン（開状態）］に設定するレンズバリア駆動信号を出力する。しかし、［レビューモード］から［撮影モード］への切り替え時には、ユーザインタフェース（ＵＩ）制御部２０１は、レンズバリア駆動信号の無効化コマンドとしての禁止フラグ（Ｄｉｓａｂｌｅ）を撮像部２０３に出力する。これによって、レンズバリア駆動信号が無効化され、結果として、レンズバリア２０４は［オープン（開状態）］状態を維持することになる。
【００７２】
すなわち、ユーザインタフェース（ＵＩ）制御部２０１は、
［撮影モード］から［レビューモード］、
［レビューモード］から［撮影モード］、
これらのモード切り替え時に、撮像部２０３に対して、レンズバリア駆動信号の無効化コマンドとしての禁止フラグ（Ｄｉｓａｂｌｅ）を出力することで、撮像部２０３が状態切り替え時に出力するレンズバリア駆動信号を無効化してレンズバリア２０４を［オープン（開状態）］状態に維持させることができ、その結果、レビューモードにおいては、即座に撮影を開始することが可能となる。
【００７３】
最後に、図７を参照して、本発明の撮像装置の具体的な詳細構成例について説明する。図７は、本発明の撮像装置５００の構成例を示す図である。撮像装置５００は、主な処理ブロックとしては、撮像手段５１０、記録再生処理手段５２０と、制御手段５３０を有し、さらに、レンズバリア５５０、記録媒体５６０、さらに、操作入力部（モード切り替え手段）５４１、表示部５４２、メモリカード５４３を有している。
【００７４】
図２に示す構成図におけるユーザインタフェース（ＵＩ）制御部２０１は、制御手段５３０に含まれる。図２のモード切り替え手段２０２は、図７における操作入力部５４１に相当する。撮像部２０３は、撮像手段５１０に相当し、リンズバリア２０４は、レンズバリア５５０に対応する。時間計測部２０５は図７では、制御手段２３０の時間計測部５３７に相当する。図２の表示部２０６は、図７の表示部５４２に対応し、記録媒体２０７は、記録媒体５６０に対応する。
【００７５】
撮像手段５１０は、光学ブロック５１１と、カメラ制御部５１２と、信号変換部５１３と、撮像信号処理部５１４と、音声入力部５１５と、音声信号処理部５１６とを備える。光学ブロック５１１は、内部に、被写体を撮像するためのレンズ群、絞り調整機構、フォーカス調整機構、ズーム機構、シャッター機構、フラッシュ機構、および、手ぶれ補正機構などを備える。カメラ制御部５１２は、制御手段５３０から制御信号を入力し、光学ブロック５１１に供給する制御信号を生成する。そして、生成した制御信号を光学ブロック５１１に供給して、ズーム制御、シャッター制御、および、露出制御などの制御を行なう。カメラ制御部５１２は、レンズバリア５５０の開閉制御を実行する。すなわち、前述したように、レンズバリア駆動信号を出力して、レンズバリアを［オープン（開状態）］または［クローズ（閉状態）］に設定する。
【００７６】
信号変換部５１３は、例えばＣＣＤ（Ｃｈａｒｇｅ  Ｃｏｕｐｌｅｄ  Ｄｅｖｉｃｅ）などの撮像素子により構成され、その結像面に、光学ブロック５１１を通じた像が結像される。この信号変換部５１３は、シャッター操作に応じて制御部５３０から供給される画像取り込みタイミング信号を受けて、結像面に結像されている被写体像を撮像信号に変換し、撮像信号処理部５１４に供給する。
【００７７】
撮像信号処理部５１４は、制御部５３０からの制御信号に基づいて、撮像信号についてのガンマ補正やＡＧＣ（Ａｕｔｏ  Ｇａｉｎ  Ｃｏｎｔｒｏｌ）などの処理を行なうとともに、撮像信号をデジタル信号としての画像信号に変換する処理も行なう。音声入力部５１５は、撮影時の被写体周辺の音声を収集する。この音声入力部５１５からの音声信号は音声信号処理部５１６に供給される。音声信号処理部５１６は、制御部３０からの制御信号に基づいて、音声信号についての補正やＡＧＣなどの処理を行なうとともに、音声信号をデジタル信号に変換する処理も行なう。
【００７８】
制御手段５３０は、先に図２以下を参照して説明したように、撮像手段５１０を、［撮影状態］、［レビュー状態］、［オフ状態］の３状態のいずれかに設定する制御を行なう。すなわち、制御手段５３０は、操作入力部（モード切り替え手段）５４１の操作によるモード設定、あるいは時間計測部５３７の計測時間に基づいて、撮像手段５１０を、［撮影状態］、［レビュー状態］、［オフ状態］の３状態のいずれかに設定する制御を行なう。
【００７９】
また、この状態切り替え制御に併せて、制御手段５３０は、撮像手段５１０のカメラ制御部５１２に対して、レンズバリア駆動信号の有効化／無効化コマンドとしての許可／禁止フラグ（Ｅｎａｂｌｅ／Ｄｉｓａｂｌｅ）を出力する。
【００８０】
記録再生処理手段５２０は、符号化／復号部５２１と、バッファメモリ５２２と、記録部インタフェース５２３と、出力処理部５２４とを備える。符号化／復号部５２１は、撮像手段５１０からの画像信号および音声信号や追加記録情報を符号化し多重化して圧縮データに変換する符号化機能を有する。一方、符号化／復号部５２１は、圧縮データから画像信号および音声信号や追加記録情報を分離して復号する復号機能を有する。また、符号化／復号部５２１は、制御手段５３０からの制御信号に基づき、撮像信号処理部５１４からの画像信号に対して、自動ホワイトバランス制御、露出補正制御、デジタルズーム倍率に応じた拡大制御などをさらに行なう。
【００８１】
記録部インタフェース５２３は、符号化／復号部５２１から圧縮データを受けて記録媒体５６０に書き込む。また、記録部インタフェース５２３は、記録媒体５６０から圧縮データを読み出して符号化／復号部５２１に供給する。出力処理部５２４は、制御手段５３０からの制御により、符号化／復号部５２１からの圧縮データを制御手段５３０やその他の外部機器に供給する。バッファメモリ５２２は、例えばＳＤＲＡＭなどにより構成され、符号化／復号部５２１における符号化または復号のための作業領域として利用される。
【００８２】
制御手段５３０は、各種の制御プログラムを実行するＣＰＵ５３１と、ＲＯＭ（Ｒｅａｄ  Ｏｎｌｙ  Ｍｅｍｏｒｙ）５３２と、ＲＡＭ（Ｒａｎｄｏｍ  Ａｃｃｅｓｓ  Ｍｅｍｏｒｙ）５３３と、操作入力部（モード切り替え手段）５４１を接続するための操作入力インタフェース５３４と、表示部５４２を接続するための表示制御部５３５と、撮影時刻の記録や、先に説明した状態遷移のトリガとしての時間を計測するための時計回路５３７がシステムバスを介して接続されることにより構成される。
【００８３】
ＣＰＵ５３１は制御手段５３０全体の処理を司るものであり、作業領域としてＲＡＭ５３３を使用する。ＲＯＭ５３２には、撮像手段５１０を制御するためのプログラムや、画像信号や音声信号の記録制御および再生制御などを実行するためのプログラムが書き込まれている。
【００８４】
操作入力インタフェース５３４に接続される操作入力部５４１には、撮影モード、再生モード、レビューモードなどのモードを切り換えるモード切り換えキーの他、ズーム調整キー、露出調整のためのキー、シャッターキー、動画撮影用キー、表示部５４２における表示調整キーなどの複数のキーが設けられている。操作入力インタフェース５３４は、操作入力部５４１からの操作信号をＣＰＵ５３１に伝える。ＣＰＵ５３１は、操作入力部５４１においていずれのキーが操作されたかを判別し、その判別結果に応じた制御処理を行なう。
【００８５】
表示制御部５３５に接続される表示部５４２は、例えばＬＣＤ（Ｌｉｑｕｉｄ  Ｃｒｙｓｔａｌ  Ｄｉｓｐｌａｙ）などにより構成され、制御手段５３０の制御の下に、撮像手段５１０からの画像信号や、記録媒体５６０から読み出された画像信号を表示する。
【００８６】
メモリカードインタフェース５３６は、符号化／復号部５２１からの圧縮データをメモリカード５４３に書き込む。また、メモリカードインタフェース５３６は、メモリカード５４３から圧縮データを読み出して符号化／復号部５２１に供給する。時間計測部５３７は、撮影データの属性情報として、年、月、日、時間、分、秒などを表わす時間情報を生成し、さらに、前述したモード、状態切り替え時の時間計測を行なう。
【００８７】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【００８８】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００８９】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００９０】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００９１】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００９２】
以上、説明したように、本発明の一実施例の構成によれば、撮像装置のモードとして、
（ａ）画像の撮影処理を実行する撮像部に対する電力供給を実行して、撮像部による画像撮影を実行可能とした撮影モードと、
（ｂ）表示部におけるデータ再生を可能とし、かつ撮像部に対する電力供給を、予め定めた閾値時間のみ実行し、閾値時間経過後に停止する再生モードと、
（ｃ）表示部におけるデータ再生を可能とし、かつ撮像部に対する電力供給を実行するレビューモードと、
これら３モードの切り替え制御を実行する構成とし、さらに、レビューモードでは、レンズバリアを開状態として、再生モードではレンズバリアを閉状態とする制御を行なう構成としたので、撮影と再生を頻繁に切り替える場合はレビューモードに設定することで、撮影開始を即座に実行することが可能となり、また、再生と撮影を頻繁に切り替えない場合は再生モードとしてレンズバリアを閉じることで、レンズの保護が図られ、ユーザの利用状況に応じた最適な制御が可能となる。
【図面の簡単な説明】
【００９３】
【図１】本発明の一実施例に係る撮像装置の外観構成およびレンズバリアの動作について説明する図である。
【図２】本発明の一実施例に係る撮像装置の構成について説明する図である。
【図３】本発明の一実施例に係る撮像装置の設定可能なモード、撮像部状態、レンズバリア状態について説明する図である。
【図４】本発明の一実施例に係る撮像装置の状態遷移について説明する図である。
【図５】本発明の一実施例に係る撮像装置の状態遷移について説明する図である。
【図６】本発明の一実施例に係る撮像装置の状態遷移について説明する図である。
【図７】本発明の一実施例に係る撮像装置のハードウェア構成例について説明する図である。
【符号の説明】
【００９４】
１１０  ビデオカメラ
１１１  レンズ
１１２  レンズバリア
１２０  スチルカメラ
１２１  レンズ
１２２  レンズバリア
２０１  ユーザインタフェース制御部
２０２  モード切り替え手段
２０３  撮像部
２０４  レンズバリア
２０５  時間計測部
２０６  表示部
２０７  記録媒体
５００  撮像装置
５１０  撮像手段
５１１  光学ブロック
５１２  カメラ制御部
５１３  信号変換部
５１４  映像信号処理部
５１５  音声入力部
５１６  音声信号処理部
５２０  記録再生処理手段
５２１  符号化／復号部
５２２  バッファメモリ
５２３  記録部Ｉ／Ｆ
５２４  出力処理部
５３０  制御手段
５３１  ＣＰＵ
５３２  ＲＯＭ
５３３  ＲＡＭ
５３４  操作入力Ｉ／Ｆ
５３５  表示制御部
５３６  メモリカードＩ／Ｆ
５３７  時間計測部
５４１  操作入力部
５４２  表示部
５４３  メモリカード
５５０  レンズバリア
５６０  記録媒体
【図１】
2007180673.tif 000003
【図２】
2007180673.tif 000004
【図３】
2007180673.tif 000005
【図４】
2007180673.tif 000006
【図５】
2007180673.tif 000007
【図６】
2007180673.tif 000008
【図７】
2007180673.tif 000009